(57)【要約】【課題】効率よく迅速に浴室換気乾燥装置の内部を乾燥させて、錆やカビの発生を防止する。浴室換気乾燥装置を提供することを目的としている。【解決手段】制御装置１０は、内部乾燥スイッチ１４が押されたとき、ヒータＡ８ａを第１の所定期間駆動し、ファン４の停止の状態でヒータＡ８ａを駆動するので乾燥装置内を通常より高い温度にして、吸入風路５と循環風路７を構成する部材に付着した水分の蒸発を促進させ、その後にファン４を第２の所定期間が駆動し、ヒータＡ８ａの加熱で蒸発した水蒸気を屋外に排出する。【選択図】図１
2008039211.tif 000002
【特許請求の範囲】
【請求項１】
ファンと、前記ファンの作動により浴室内の空気を循環する循環風路と、前記ファンの駆動により浴室内の空気を屋外に排出する排気風路と、前記循環風路内に設置された加熱手段および前記ファンと前記加熱手段を組み合わせて作動させて暖房運転もしくは乾燥運転もしくは換気運転を行う制御装置とを備えた浴室換気乾燥装置において、前記制御装置は、前記加熱手段を第１の所定期間駆動させた後、前記ファンを第２の所定期間駆動し、浴室換気乾燥装置の内部を乾燥することを特徴とする浴室換気乾燥装置。
【請求項２】
前記加熱手段の第１の所定期間の駆動は、暖房運転時の循環風路構成で実施する請求項１記載の浴室換気乾燥装置。
【請求項３】
前記の第２の所定期間のファンの駆動は、換気運転時の換気風路構成で実施する請求項１記載の浴室換気乾燥装置。
【請求項４】
ファンの駆動後に制御装置が乾燥運転時の風路構成に制御する請求項３記載の浴室換気乾燥装置。
【請求項５】
前記の制御装置は、暖房運転もしくは乾燥運転の終了後に前記の駆動を実行する請求項１記載の浴室換気乾燥装置。
【請求項６】
前記の制御装置は、使用者が操作できるスイッチを備え、前記スイッチの操作で前記の駆動を実施する請求項１記載の浴室換気乾燥装置。
【請求項７】
前記の制御装置は、浴室換気乾燥装置の内部温度を検知する内部温度センサを備え、前記内部温度が所定値に達した時をもって前記の第１の所定期間とする請求項１記載の浴室換気乾燥装置。
【請求項８】
前記の制御装置は、浴室換気乾燥装置の内部温度を検知する内部温度センサを備え、前記内部温度が所定値に降下した時をもって前記の第２の所定期間とする請求項１記載の浴室換気乾燥装置。
【請求項９】
前記の制御装置は、タイマ機能を備え、前記タイマ機能に予め設定した時限を前記の第１及び第２の所定期間とする請求項１記載の浴室換気乾燥装置。
【請求項１０】
前記の制御装置は、浴室の温度を検知する浴室温度センサと浴室外の室温を検知する室温センサを備え、前記浴室温度と前記室内温度の差が所定値以上の時前記の駆動を実施する請求項１記載の浴室換気乾燥装置。
【請求項１１】
請求項１０記載の制御装置は、前記浴室温度と前記室内温度の差が第２の所定値以下になるまで前記の駆動を繰り返し実施する請求項１０記載の浴室換気乾燥装置。
【請求項１２】
前記の制御装置は、浴室外の室内の湿度を検知する湿度センサを備え、前記湿度センサが検知する湿度に応じて前記加熱手段の加熱量が制御される請求項１記載の浴室換気乾燥装置。
【発明の詳細な説明】
【技術分野】
【０００１】
本発明は、浴室や、脱衣室、洗面所、あるいはトイレなどのいわゆるサニタリーゾーンを利用して洗濯物を乾燥するほか、暖房や換気などを行う電熱器などの加熱手段を利用した浴室換気乾燥装置に関する。
【背景技術】
【０００２】
近年、一般家庭における浴室の設置が多くなるに伴い、冬期の入浴を快適にするために暖房機能を備えるとともに浴室を利用して洗濯物を乾燥させる乾燥機能を有した浴室換気乾燥装置が普及してきている。更には、建築基準法が改正され新築住宅にあっては常時換気の機能を有する換気装置の設置が義務付けられ、室内換気の重要性が認知されつつあり、とりわけ浴室換気乾燥装置本体内部の乾燥を行う浴室換気乾燥装置の普及が拡大してきている。
【０００３】
従来、この種の装置は熱源に温水を利用するものと電熱を利用するものがある。
【０００４】
温水を利用するものはガスもしくは灯油を燃料する屋外に設置した温水器を熱源機とし、温水を循環させて熱交換器で室内の空気を暖めるものであり、電熱を利用するにあっては商用電源からの電力を利用する装置内に設置したニクロム線ヒータやハロゲンヒータなどの加熱手段を熱源とするものである。
【０００５】
前者は８０℃程度の比較的低温の温水を利用するのに対し後者は１００℃以上の比較的高温の加熱手段を利用するところから、後者にあっては装置の構造に耐熱性が要求される。また、浴室内の高湿空気を吸い込み、換気風路については排気ダクトを通じて室外へ排出され、循環風路については加熱手段を通じて、浴室内へ吹出するものであるが、浴室からの高湿空気が換気風路および循環風路を流れることにより、これら風路に水分が付着する。この水分の付着もしくは高湿度の状態が継続すると金属部に錆が発生し、また、カビが発生する。この状態において暖房運転や衣類乾燥運転を行うと臭いのついた循環空気が浴室に吹出すことになるため、これを防止することが求められている。
【０００６】
従来、この種の浴室換気乾燥装置は、暖房運転または涼風運転終了後の所定時間経過後に循環ファンを作動し、循環経路およびその周囲に溜まっている湿度が除去することで、循環風路およびその周囲を乾燥させてカビ、錆の発生を防止するものが知られている（例えば、特許文献１参照）。以下、その浴室暖房機について図７を参照しながら説明する。
【０００７】
図に示すように、暖房機本体１０１と、吸込み口と吹出し口を連通する循環流路１０２と、循環流路に配設された加熱手段１０３と、循環ファン１０４と、加熱手段と循環ファンを作動するための作動制御手段１０５とを備え、加熱手段を駆動する暖房運転または加熱手段を駆動しない涼風運転終了後、第１の所定時間後に循環ファンを作動すると、循環風路およびその周囲に溜まっている湿度が除去され、循環風路およびその周囲を乾燥させてカビ、錆の発生を防止する機能を有している。
【特許文献１】特開２００２−２１３７６０号公報
【発明の開示】
【発明が解決しようとする課題】
【０００８】
このような浴室暖房機では、暖房運転または涼風運転終了後、所定時間経過後に循環ファンァンを作動させても、浴室内が多湿な状態が多いことから浴室暖房機内に滞留した湿気や水滴を充分に除去することは困難であった。
【０００９】
本発明は、このような従来の課題を解決するものであり、効率よく迅速に浴室暖房機（浴室換気乾燥装置）の内部を乾燥させて、錆やカビの発生を防止する浴室換気乾燥装置を提供することを目的としている。
【課題を解決するための手段】
【００１０】
本発明の浴室換気乾燥装置は、上記目的を達成するために、制御装置が加熱手段を第１の所定期間駆動させた後にファンを第２の所定期間駆動し、浴室換気乾燥装置の内部を乾燥することを特徴としている。
【００１１】
このことにより、特別な装置を備えることなく浴室換気乾燥装置の内部を効率的に迅速に乾燥することができる。
【００１２】
また、本発明の浴室換気乾燥装置は、上記目的を達成するために、制御装置が暖房運転もしくは乾燥運転の終了後に前記の内部乾燥動作を実行することを特徴としている。
【００１３】
このことにより、自動的に浴室換気乾燥装置の内部を乾燥することができる。
【００１４】
また、本発明の浴室換気乾燥装置は、上記目的を達成するために、制御装置は浴室の温度を検知する浴室温度センサと浴室外の室温を検知する室温センサを備え、浴室温度と室内温度の差が所定値以上の時に前記の内部乾燥動作を実行することを特徴としている。
【００１５】
このことにより、浴室換気乾燥装置の内部の乾燥が必要な時に、自動的にこれを実施できる。
【発明の効果】
【００１６】
本発明の浴室換気乾燥装置は、浴室換気乾燥装置の内部を効率的に迅速に乾燥し錆やカビの発生を防止できる。
【発明を実施するための最良の形態】
【００１７】
本発明の請求項１記載の発明は、ファンと、ファンの作動により浴室内の空気を循環する循環風路と、同じくファンの駆動により浴室内の空気を屋外に排出する排気風路と、循環風路内に設置された加熱手段およびファンと加熱手段を組み合わせて作動させて暖房運転もしくは乾燥運転もしくは換気運転を行う制御装置とを備えた浴室換気乾燥装置において、制御装置は、加熱手段を第１の所定期間駆動させた後、ファンを第２の所定期間駆動することにより浴室換気乾燥装置の内部を乾燥することを特徴としている。
【００１８】
このことにより、特別な装置を備えることなく浴室換気乾燥装置の内部を効率よく迅速に乾燥することができる。
【００１９】
本発明の請求項２記載の発明は、請求項１記載の発明において、加熱手段の第１の所定期間の駆動は、暖房運転時の循環風路の構成で実施することを特徴としている。
【００２０】
このことにより、浴室換気乾燥装置の内部に滞留する水分の蒸発を満遍なく行うことができる。
【００２１】
本発明の請求項３記載の発明は、請求項１記載の発明において、アァンの第２の所定期間の駆動は、換気運転時の風路構成で実施することを特徴としている。
【００２２】
このことにより、浴室換気乾燥装置の内部で蒸発した水蒸気を迅速に屋外に排出できる。
【００２３】
本発明の請求項４記載の発明は、請求項３記載の発明において、ファンの駆動後に、制御装置が乾燥運転時の風路構成に制御することを特徴としている。
【００２４】
このことにより、浴室換気乾燥装置の内部のすべてに滞留している水蒸気を屋外に排出できる。
【００２５】
本発明の請求項５記載の発明は、請求項１記載の発明において、制御装置は、暖房運転もしくは乾燥運転の終了後に前記の駆動を実行することを特徴としている。
【００２６】
このことにより、乾燥装置の運転により発生した結露を自動的に蒸発できる。
【００２７】
本発明の請求項６記載の発明は、請求項１記載の発明において、制御装置は、使用者が操作できるスイッチを備え、スイッチの操作で前記の駆動を実施することを特徴としている。
【００２８】
このことにより、乾燥装置を使用していない時に発生する乾燥装置の結露を除去することができる。
【００２９】
本発明の請求項７記載の発明は、請求項１記載の発明において、制御装置は浴室換気乾燥装置の内部温度を検知する内部温度センサを備え、前記内部温度が所定値に達した時をもって前記の第１の所定期間とすることを特徴としている。
【００３０】
このことにより、浴室換気乾燥装置の内部の過大な加熱を防止し、装置を熱的損傷から防止できる。
【００３１】
本発明の請求項８記載の発明は、請求項１記載の発明において、制御装置は、浴室換気乾燥装置の内部温度を検知する内部温度センサを備え、前記内部温度が所定値に降下した時をもって前記の第２の所定期間とすることを特徴としている。
【００３２】
このことにより、省エネルギーで浴室換気乾燥装置の内部を乾燥することができる。
【００３３】
本発明の請求項９記載の発明は、請求項１記載の発明において、制御装置は、タイマ機能を備え、前記タイマ機能に予め設定した時限を前記の第１及び第２の所定期間とすることを特徴としている。
【００３４】
このことにより、簡素な構造で安価に浴室換気乾燥装置を製造できる。
【００３５】
本発明の請求項１０記載の発明は、請求項１記載の発明において、制御装置は、浴室の温度を検知する浴室温度センサと浴室外の室温を検知する室温センサを備え、前記浴室温度と前記室内温度の差が所定値以上の時に前記の駆動を実施することを特徴としている。
【００３６】
このことにより、浴室換気乾燥装置の内部の乾燥が必要な時に、自動的にこれを実施できる。
【００３７】
本発明の請求項１１記載の発明は、請求項１０記載の発明において、制御装置は、浴室温度と室内温度の差が第２の所定値以下になるまで前記の駆動を繰り返し実施することを特徴としている。
【００３８】
このことにより、浴室換気乾燥装置の内部をより完全に乾燥することができる。
【００３９】
本発明の請求項１２記載の発明は、請求項１記載の発明において、制御装置は浴室外の室内の湿度を検知する湿度センサを備え、湿度センサが検知する湿度に応じて加熱手段の加熱量が制御されることを特徴としている。
【００４０】
このことにより、省エネルギーで浴室換気乾燥装置の内部を乾燥することができる。
【００４１】
以下、本発明の実施の形態について、図面を参照しながら説明する。
【００４２】
（実施の形態１）
図１は、本発明の実施の形態１の浴室換気乾燥装置（以下単に乾燥装置と略記）の構成例を示す図である。図１（ａ）〜図１（ｃ）は、図２に示す乾燥装置の運転モードの例に対応したもので、いずれも乾燥装置を浴室の天井に取り付けた状態の要部断面の側面図であり、図の下方が浴室である。
【００４３】
図１（ａ）において、浴室乾燥装置１は、天井２に取り付けられたケーシング３内にファンモータで駆動されるファン４が設けられ、このファン４の駆動により吸入風路５から浴室より吸入した空気の流れを制御するダンパ６と、このダンパ６の制御で形成される浴室側への循環風路７と、この循環風路７の浴室側に設けた加熱手段としてのヒータＡ８ａとヒータＢ８ｂと、ダンパ６の駆動で形成される排気風路９を設けている。
【００４４】
ケ―シング３の上部には前記のファン４とダンパ６及びヒータＡ８ａ、ヒータＢ８ｂを制御する制御装置１０が設けられている。
【００４５】
図１ａは、運転モードが図２の乾燥（主として衣類の乾燥）時を示し、制御装置１０がダンパ６を図で示す位置になるように制御する。
【００４６】
すなわち、ダンパ６の回動軸６ａの垂線６ｂに対するダンパ６の中心線６ｃの角度（以下、ダンパ角度）が４５°に制御する。
【００４７】
ファン４の駆動で浴室より吸入風路５を介して吸入された空気は、一部は循環風路７を経てヒータＡ８ａとヒータＢ８ｂ（加熱手段）で加熱されて浴室内に還元され、一部は排気風路９を経て屋外に排出される。
【００４８】
浴室内でヒータＡ８ａ、ヒータＢ８ｂにより加熱された空気が衣類の水分を蒸発させ、湿度が高められた空気は浴室換気乾燥装置１により一部は屋外に、一部は浴室内に還元され、この繰り返しにより衣類の乾燥が進行する。
【００４９】
この過程で浴室換気乾燥装置１内の吸入風路５と循環風路７及び排気風路９を構成する樹脂部品や金属部品に結露が発生する。
【００５０】
衣類が充分に乾燥されるまで長時間の乾燥が行われた場合は、前記の結露は再蒸発するが、経済的な理由から幾分生乾きのままで乾燥運転が終了することが多いので、結露状態や樹脂部材においては湿潤の状態が維持される。
【００５１】
このようかことが繰り返されると、金属部においては錆が発生し、あるいは適度な加温状態とも相まってカビが発生し、乾燥装置の運転初期において、異臭が発生して、使用者に不快なおもいを与えることになりがちである。
【００５２】
図１ｂは、運転モードが図２の暖房時を示し、制御装置１０がダンパ６のダンパ角度を９０°に制御する。また、加熱手段はヒータＡ８ａのみが通電されている。
【００５３】
ファン４の駆動で浴室より吸入風路５を介して吸入された空気は循環風路７を経てヒータＡ８ａで加熱されて浴室内に還元され、この動作の繰り返しで浴室内を快適な温度に維持する。この暖房機能が使われるのは入浴時であり、浴室内は浴槽に張ったお湯のため高湿度の状態であり、前述の乾燥時と同じように乾燥装置内部に結露や湿潤状態が発生する。
【００５４】
また、この運転モードは冬期に行われることから浴室の壁や天井および乾燥装置が外気の冷気で冷やされており、浴室内が浴槽から蒸発する水蒸気で高湿度の状態で暖房運転を開始すると壁や天井だけでなく乾燥装置内部にも結露が発生しやすい。
【００５５】
図１ｃは、運転モードが図２の換気時を示し、制御装置１０がダンパ６のダンパ角度を０°に制御する。また、ヒータＡ８ａ、ヒータＢ８ｂは通電されず、ファン４のみが駆動されている。
【００５６】
以上述べたように、この種の乾燥装置は、乾燥運転時や暖房運転時に乾燥装置内に結露や湿潤の状態が発生しやすいものであり、この結露や湿潤の状態を解除するために、運転終了以後も加熱手段とファンを所定期間運転するいわゆる残置運転と呼ばれる制御を行っていた。
【００５７】
しかしながら、前述したように、浴室内が多湿な状態であり、多湿な空気では乾燥装置内の結露状態を完全に解除するためには長時間の残置運転が必要であった。
【００５８】
以下、本発明の実施の形態１について、図１を参照しながら、図３と図４を用いて説明する。図３は、本発明の実施の形態１の制御装置の構成を示すブロック図である。
【００５９】
制御装置１０は、図１（ａ）に示す、循環風路７内に設けた乾燥装置内の内部温度を検知する内部温度センサ１１と乾燥運転や暖房運転の運転モードを選択設定する運転モード設定部１２と乾燥運転や換気運転等の運転時間を設定するタイマ設定部１３と後述する内部乾燥スイッチ１４と運転スタートや運転停止を行う発停スイッチ１５と、以上述べた符号１１〜１５の信号を入力とするマイコン１６と、このマイコン１６の出力として接続されヒータＡ８ａを駆動するための継電器１７、同じくヒータＢ８ｂを駆動するための継電器１８、同じくファン４を駆動するための継電器１９、同じくダンパ６のダンパ角度を制御するためのステッピングモータなどのモータ２０とで構成されている。
【００６０】
点線で示す符号１１〜１５の部分は、リモコン装置１０ａとして浴室外の屋内の壁面に設置される。なお、リモコン装置１０ａには、選択した運転モードや動作状態を示す表示部が設けられるが図面への記載は省略している。
【００６１】
マイコン１６の動作はＲＯＭやＲＡＭやカウンターなどが共働するプログラムの形態で実施される、また次ぎに述べる制御装置１０の動作に必要なタイマ機能１６ａも保有している。
【００６２】
次に図１〜３を参照しながら図４を用いて本発明の実施の形態１の制御装置の動作について説明する。
【００６３】
図４において、制御装置１０は、ステップ（以下Ｓ）１において内部乾燥スイッチ１４が押されたがどうかをチェックする。次いでＳ２で乾燥運転もしくは暖房運転が終了（タイマ運転での運転終了）したかどうか、もしくは乾燥、暖房いずれかの運転の発停スイッチ１５の停止が押されたかどうかをチェックする。
【００６４】
Ｓ１とＳ２のいずれかにおいてＹＥＳであれば、次にＳ３においてダンパ６のダンパ角度を９０°に制御し、図１（ｂ）に示すような暖房運転モードの風路構成の状態にする。
【００６５】
すなわち、乾燥装置内の空気がダンパ６により遮断されることなく、かつ外部（屋外）に流出しない状態である。
【００６６】
次にＳ４においてヒータＡ８ａを駆動する。このため乾燥装置内の温度は上昇を始める。このようにファン停止の状態で加熱手段を駆動するので乾燥装置内を通常（暖房運転や乾燥運転）より高い温度にすることができ、このため乾燥装置内の空気の過飽和水蒸気圧を通常よりも高くすることができとともに、吸入風路５と循環風路７を構成する部材の温度も通常より高くなり、前記部材に付着した水分の蒸発が促進される。
【００６７】
次にＳ５で乾燥装置内の温度を検知する内部温度センサ１１の温度が所定温度に達したかどうかをチェックし、所定温度に達したと判断するとＳ６でヒータＡ８ａを停止する。次にＳ７でダンパ６のダンパ角度を０°に制御し、図１（ｃ）に示すような換気運転モードの風路構成の状態にする。
【００６８】
次にＳ８でファン４を駆動する。これによりダンパ６よりも上流側に滞留した結露水を蒸発させた高湿度の乾燥装置内の空気が屋外に排出される。
【００６９】
次にＳ９でダンパ６のダンパ角度を４５°に制御し、図１（ａ）に示すような乾燥運転モードの風路構成の状態にする。これによりダンパ６よりも下流側の循環風路７の内部に滞留した高湿度の空気が浴室内に排出される。また、この過程で内部温度センサ１１の周辺の温度は下降を開始する。
【００７０】
次にＳ１０で内部温度センサ１１の温度が所定温度に下降したかどうかをチェックし、所定温度まで降下したと判断するとＳ１１でファン４を停止して乾燥動作を終了する。
【００７１】
以上説明したように、本発明の乾燥装置は、ファンを停止した状態で加熱手段を第一の所定期間駆動することにより乾燥装置内の空気流路の壁面等に付着した水分を通常の温度（例えば乾燥運転時の空気の温度は最高６０℃程度）よりも高い温度（例えば８０℃）に加熱することにより水分の蒸発を促進し、次いでファンを第２の所定期間駆動することにより蒸発した水分を含む乾燥装置内に対流した空気を乾燥装置外に排出するものであるので特別な装置を用いることなく乾燥装置の内部を効率よく迅速に乾燥するものである。
【００７２】
また、このときの加熱手段の駆動は、暖房運転時の循環風路の構成で行うので乾燥装置の空気の流路全体を加熱でき従って水分の蒸発を満遍なく行うことができる。
【００７３】
また、ファンの駆動は換気運転時のモードで実施するので乾燥装置の内部で蒸発した水蒸気を迅速に屋外に排出できる。
【００７４】
また、ファンの駆動後に乾燥運転時の風路構成にすることで乾燥装置内部のすべてに滞留している水蒸気を屋外に排出できる。
【００７５】
また、乾燥装置の内部の乾燥動作は暖房運転もしくは衣類乾燥運転の終了後に自動的に行うようにしたので乾燥装置の運転により発生する結露を自動的に蒸発させることができる。
【００７６】
また、制御装置に使用者が操作できるスイッチを備えているので、スイッチの操作で乾燥装置の内部を乾燥でき、乾燥装置を使用していない時に発生する乾燥装置の結露（例えば冬期の入浴時に発生する結露）を除去することができる。
【００７７】
また、乾燥装置の内部温度を検知する内部温度センサを備えて内部温度が所定値に達した時をもって加熱手段の駆動を停止するようにしているので乾燥装置の内部の過大な加熱を防止し、機体を熱的損傷から防止できる。
【００７８】
また、記内部温度が所定値に降下した時をもってファンの駆動を停止することにより省エネルギーで乾燥装置の内部を乾燥することができる。
【００７９】
なお、本実施の形態では、内部温度センサの検知温度で加熱手段の停止とファンの停止をきめているが、これを制御装置内のタイマによっておこなってもよく、この場合は乾燥装置をより安価に製造できる。
【００８０】
また、図４の動作の説明において、Ｓ８以降のファン駆動中は加熱手段の駆動は停止状態であるが、加熱手段を駆動するようにしてもかまわない。
【００８１】
また、Ｓ９でダンパ角度を４５°の乾燥モードの風路構成としているが、これをダンパ角度９０°の暖房モードの風路構成にしても差し支えない。
【００８２】
また、Ｓ１〜Ｓ１１の動作を繰り返し複数回実施するようにしてよく、この場合はより完全な乾燥を行うことができる。
【００８３】
（実施の形態２）
実施の形態１と同一部分は同一符号を付し、詳細な説明は省略する。図５は、本発明の実施の形態２の制御装置の構成を示すブロック図である。図において、図３と同一の符号の１１〜２０の構成要素は、図３の構成要素と同じなので説明を省略し、新たに付加された構成要素について説明する。
【００８４】
浴室外の屋内の温度を検知する室内温度センサ２１と、同じく湿度を検知する室内湿度センサ２２とが屋内の壁面に設置されるリモコン装置１０ａに収納され、それぞれの出力はマイコン１６の入力として接続されている。
【００８５】
浴室内の温度を検知する浴室温度センサ２３は、図１（ａ）に示すように浴室換気乾燥装置１の吸入風路５の下部に取り付けられ、その出力はマイコン１６の入力として接続されている。
【００８６】
この制御装置の動作を図１と図２及び図５を参照しながら図６を用いて説明する。
【００８７】
図６は、本発明の実施の形態２の制御装置の動作を示すフローチャートである。
【００８８】
図６において、制御装置１０は、Ｓ２１において室内温度センサ２１が検知する温度を基準として浴室温度センサ２３が検知する浴室の温度との差（以下単に温度差）ΔＴが所定値Ｋ１（例えば５°）以上であるかをチェックする。温度差が所定値以上であれば、Ｓ２２においてダンパ６のダンパ角度を９０°にして図１（ｂ）に示す暖房運転モードの風路構成にする。次にＳ２３で室内湿度センサ２２が検知する屋内の湿度が所定値（例えば相対湿度６０％）以上か以下かをチェックし、以上であればヒータＡ８ａとヒータＢ８ｂを駆動し、以下であればヒータＡ８ａのみを駆動する（Ｓ２４）。
【００８９】
つぎのＳ２５において乾燥装置内の温度を検知する内部温度センサ１１の温度が所定温度に達したかどうかをチェックし、所定温度に達したと判断するとＳ２６でヒータを停止する。次にＳ２７でダンパ６のダンパ角度を０°に制御し、図１（ｃ）に示すような換気運転モードの風路構成の状態にする。
【００９０】
次にＳ２８でファン４を駆動する。これによりダンパ６よりも上流側に滞留した結露水を蒸発させた高湿度の乾燥装置内の空気が屋外に排出される。またファン４を駆動することで乾燥装置内の温度は下降を開始する。
【００９１】
次にＳ２９で内部温度センサ１１の温度が所定温度に下降したかどうかをチェックし、所定温度まで降下したと判断するとＳ３０でファン４を停止する。
【００９２】
次にＳ３１において浴室と室内の温度差ΔＴが所定値Ｋ２（例えば２°）以上であるかをチェックする。もし所定値以下であれば乾燥装置の内部の乾燥動作を終了するが、所定値以上であれば、再びＳ２２に戻ってＳ２２〜Ｓ３０までの動作を繰り返し、浴室と室内の温度差ΔＴが所定値Ｋ２以下になった時点で乾燥動作を終了する。
【００９３】
以上説明したように、本発明の乾燥装置は、浴室の温度を検知する浴室温度センサと浴室外の室温を検知する室温センサを備え、浴室温度と室内温度の差が所定値以上の時に実施の形態１で説明したことと同様の乾燥装置内の乾燥動作を行うようにしたものであり、乾燥装置の内部の乾燥が必要な時に、自動的にこれを実施することが特徴である。
【００９４】
従って、乾燥装置の暖房運転や衣類乾燥運転の終了後には浴室内の温度が上昇していることから、これを検知し自動的に乾燥装置自身の乾燥運転を行うことができる。また、乾燥装置の暖房運転や衣類乾燥運転を行わない場合で、入浴等で結露の恐れがある場合も浴室内の温度上昇の検知で乾燥装置の内部乾燥運転を行うことができる。
【００９５】
また、浴室温度と室内温度の差が第２の所定値以下になるまで乾燥装置内部の乾燥動作を繰り返し実施するようにしたので、浴室換気乾燥装置の内部をより完全に乾燥することができる。
【００９６】
また、浴室外の室内の湿度を検知する湿度センサを備えて湿度センサが検知する湿度に応じて加熱手段の加熱量が制御されるようにしたので、室内の湿度が高く乾燥装置の内部の乾燥がしにくいときには（浴室内の空気を外部に排出するときの空気の補給は浴室の扉の隙間やガラリから補給されるので、屋内の湿度が高いと乾燥装置の内部の乾燥の効率が悪くなる）加熱手段の加熱量を大きくすることでこれを補完できる。従って省エネルギーで浴室換気乾燥装置の内部を乾燥することができる。
【００９７】
なお、本実施の形態と前述の実施の形態１では、浴室換気乾燥装置の構造がファンを循環と換気に兼用するもので説明したが、本発明が適用される浴室換気乾燥装置は、循環用と換気用のファンとを有する装置であってもよく、加熱手段も温水を利用するものであってもよい。
【産業上の利用可能性】
【００９８】
本発明の浴室換気乾燥装置は、効率よく迅速に浴室換気乾燥装置の内部を乾燥させて、錆やカビの発生を防止するものであり、家庭用の用途にとどまらずホテルや旅館などの業務用の建物や公民館や集会所など公共の施設の用途にも適用できる。
【図面の簡単な説明】
【００９９】
【図１】本発明の実施の形態１の浴室換気乾燥装置の構成例を示す側断面図（（ａ）乾燥時を示す断面図、（ｂ）暖房時を示す断面図、（ｃ）換気時を示す断面図）
【図２】同浴室換気乾燥装置の運転モードの例を示す図
【図３】同制御装置の構成を示すブロック図
【図４】同、動作を説明するためのフローチャート
【図５】本発明の実施の形態２の制御装置の構成を示すブロック図
【図６】同、動作を説明するためのフローチャート
【図７】従来の浴室暖房機の構成を示す図
【符号の説明】
【０１００】
１      浴室換気乾燥装置
４      ファン
６      ダンパ
７      循環風路
８ａ    ヒータＡ
８ｂ    ヒータＢ
９      排気風路
１０    制御装置
１０ａ  リモコン装置
１１    内部温度センサ
１４    内部乾燥スイッチ
１６    マイコン
１６ａ  タイマ機能
２１    室内温度センサ
２２    室内湿度センサ
２３    浴室温度センサ
【図１】
2008039211.tif 000003
【図２】
2008039211.tif 000004
【図３】
2008039211.tif 000005
【図４】
2008039211.tif 000006
【図５】
2008039211.tif 000007
【図６】
2008039211.tif 000008
【図７】
2008039211.tif 000009